(57)【要約】【課題】  四フッ化エチレンフィルム等のフッ素樹脂フィルムの表面については特別な加工を施すことなく、裏面の接着面のみ粘着質に形成し、このフィルム等で基体を被覆して、焦げ付きや汚れを防止し、使用後の手入れの容易化を可能にし、また傷付きにくく、耐久性が高くなるようにする。【解決手段】  フッ素樹脂の被膜２を有する加熱調理器具である。基体１に接する上記被膜２の裏面４を粘着質に形成する。また被膜２の表面５を無加工の非粘着質に形成する。被膜２をフッ素樹脂フィルム、或いはフッ素樹脂チューブで形成する。【選択図】      図１
0003102267.tif 000002
【実用新案登録請求の範囲】
【請求項１】
フッ素樹脂の被膜を有する加熱調理器具であって、基体に接する上記被膜の裏面が粘着質に形成され、被膜の表面が無加工の非粘着質に形成されていることを特徴とするフッ素樹脂加工した加熱調理器具。
【請求項２】
請求項１記載のフッ素樹脂加工した加熱調理器具であって、被膜がフッ素樹脂フィルムであることを特徴とするフッ素樹脂加工した加熱調理器具。
【請求項３】
請求項１記載のフッ素樹脂加工した加熱調理器具であって、被膜がフッ素樹脂チューブであることを特徴とするフッ素樹脂加工した加熱調理器具。
【考案の詳細な説明】
【技術分野】
【０００１】
本考案は、例えばフライパン、鍋、或いは焼き網等の加熱調理器具に関し、更に詳しくは例えば四フッ化エチレン等のフッ素樹脂で加工された加熱調理器具に関するものである。
【背景技術】
【０００２】
従来、この種の調理器具としては、例えばフライパン等の基体の内側の面に、フッ素樹脂としての例えば四フッ化エチレンフィルムが接着されているものがある。この従来品の場合、上記のフィルムは、フライパンの基体との接着性が高くなるよう、従来、例えばナトリウム置換処理等により粘着面処理されるのが通例である。
また従来この種の調理器具としては、基体上に、フッ素樹脂の含有量を変えた塗膜を三層形成し、これによって耐久性や手入れの容易性等を確保できるよう形成しているものも知られている（例えば特許文献１参照）。
【０００３】
しかし、例えば四フッ化エチレンフィルムで被膜を形成する従来品の場合は、通常、フィルムの両面がナトリウム置換処理されていた。
従ってこの従来品の場合は、本来非接着性の四フッ化エチレンフィルムの性質を充分活かすことができず、そのためこれによると、食品を焦げ付かせたり、余分な脂肪を摂取したり、油の使用量を増加させたり、また使用後の手入れに手間暇がかかる、という問題点があった。
また特許文献１記載の従来品の場合は、加工コストが割高になり、製品価格が高くなるのを避けられなかった。
【特許文献１】特開２００１−２１８６８４号公報
【考案の開示】
【考案が解決しようとする課題】
【０００４】
本考案は、このような従来品の問題点に鑑み、提案されたものである。
従って本考案が解決しようとする課題は、四フッ化エチレンフィルム等のフッ素樹脂フィルムの表面については特別な加工を施すことなく、裏面の接着面のみ粘着質に形成し、このフィルム等で基体を被覆して、焦げ付きや汚れを防止し、使用後の手入れの容易化を可能にし、また傷付きにくく、耐久性が高くなるよう形成した使い勝手の良い、フッ素樹脂加工した加熱調理器具を提供することにある。
【課題を解決するための手段】
【０００５】
本考案は、上記の課題を解決するため、次のような技術的手段を採る。
即ち本考案の調理器具は、図１等に示されるように、フッ素樹脂の被膜２を有する加熱調理器具であって、基体１に接する上記被膜２の裏面４が粘着質に形成され、被膜２の表面５が無加工の非粘着質に形成されていることを特徴とする（請求項１）。
【０００６】
本考案の場合、加熱調理器具としては、例えば底が平型或いは丸型のフライパン、中華鍋、焼き網、エンボス加工したフライパン等があり、その種類は任意である。被膜２は、フッ素樹脂フィルム（請求項２）、或いはフッ素樹脂チューブ（請求項３）で形成される。本考案は、フライパン等、加熱面に広がりのある調理器具の場合は、基体１をフッ素樹脂フィルムで被覆し、焼き網の場合はフッ素樹脂チューブで被覆することにより実現される。
【考案の効果】
【０００７】
本考案は、このようにフッ素樹脂の被膜を有する加熱調理器具であって、基体に接する被膜の裏面を粘着質に形成し、被膜の表面を無加工の非粘着質に形成しているものである。
従って本考案を使用すれば、被膜の接着性を低下させることなく、表面の焦げ付きを確実に防止でき、調理だけではなく、手入れも楽にできる、という実用上優れた効果を奏する。
【考案を実施するための最良の形態】
【０００８】
以下、本考案の好適な一実施形態を添付図面に従って説明する。
１は、加熱調理器具としてのフライパンの基体である。このフライパンの基体１は、内側の面にフッ素樹脂の被膜２を有し、このフッ素樹脂の被膜２は、この実施形態では四フッ化エチレンフィルムが基体１に接着されることにより形成されている。３は、四フッ化エチレンフィルムを接着するための接着剤である。
【０００９】
そして被膜２としての四フッ化エチレンフィルムの裏面４は、例えばナトリウム置換等の手段により粘着質に形成されている。またこの四フッ化エチレンフィルムの表面５は、特別な加工は施されず、非粘着質に形成されている。
【００１０】
本考案の加熱調理器具の使用の仕方は、従来品と同様であり、レンジ等の火にかけ、食材を投入して使用するが、本考案品は上記の通り被膜２の表面５が非粘着質である。
従って本考案品によると、炒め物や揚げ物以外の調理の場合、通常、油脂類を使用することなく利用できる。また被膜２の表面５が非粘着質のため、本考案品は手入れが容易であり、水または湯で内側の面を流したり、或いはキッチンペーパー等で拭うことにより、簡単に綺麗にできる。
【００１１】
以上の処において、本考案は、例えば図２に示されるように、底が丸いフライパンでも良く、また中華鍋（図３参照）、或いはエンボス加工された平底型のフライパン（図４参照）等に実現されるのでも良い。
【００１２】
また加熱調理器具は、図５〜図８に示されるように、焼き網でも良く、その種類は任意である。焼き網の場合は、フッ素樹脂の被膜２がフッ素樹脂チューブで形成される。この実施形態の場合は、基体１としての金属細線が、フッ素樹脂チューブとしての四フッ化エチレンチューブで被覆されている。四フッ化エチレンチューブの裏面４は、例えばナトリウム置換等の手段で粘着質に形成されている。
【００１３】
また被膜２としての四フッ化エチレンチューブの表面５は、加工されることなく非粘着質に形成されている。被膜２としてのフッ素樹脂チューブは、上例と同様、接着剤３で基体１に接着されている。なお加熱調理器具としての焼き網は、コンロ６（図５参照）や受け皿７（図７参照）に載せられて使用される。８は、取っ手である。
【００１４】
この本考案に係る焼き網の場合も、被膜２は裏面４が粘着質であるから、基体１としての金属細線に強固に接着される。また被膜２の表面５は、非粘着質に形成されているから、焦げ付きを確実に防止でき、水洗い等で綺麗にでき、従って手入れを楽にできる。
【図面の簡単な説明】
【００１５】
【図１】本考案の加熱調理器具の好適な一実施形態を示し、Ａは断面図、ＢはＡのＢ線で示す箇所の要部拡大断面図である。
【図２】加熱調理器具が丸底のフライパンである場合を示し、Ａは断面図、ＢはＡのＢ線で示す箇所の要部拡大断面図である。
【図３】加熱調理器具が中華鍋である場合を示す断面図である。
【図４】加熱調理器具がエンボス加工されたフライパンである場合を示し、Ａは断面図、ＢはＡのＢ線で示す箇所の要部拡大断面図である。
【図５】加熱調理器具が焼き網である場合の使用状態時の要部断面図である。
【図６】図５の実施形態の要部拡大断面図である。
【図７】加熱調理器具が焼き網である場合の他の実施形態を示す断面図である。
【図８】図７の実施形態の要部拡大断面図である。
【符号の説明】
【００１６】
１    基体
２    フッ素樹脂の被膜
３    接着剤
４    裏面
５    表面
【図１】
0003102267.tif 000003
【図２】
0003102267.tif 000004
【図３】
0003102267.tif 000005
【図４】
0003102267.tif 000006
【図５】
0003102267.tif 000007
【図６】
0003102267.tif 000008
【図７】
0003102267.tif 000009
【図８】
0003102267.tif 000010